(57)【要約】  タービン排気ケース（２８）は、タービン排気ケースを通る空気流路を画定する整流板（１２０）、およびマルチピース型フレーム（１００）を備える。マルチピース型フレームは、整流板を貫通しかつその周辺に配設されて、軸受荷重を支持し、かつ内側リング（１０４）、該内側リングの外方に同心状に配設される外側リング（１０２）、複数のボス付きカバー（１１０）、および複数の半径方向のストラット（１０６）を備える。複数のボス付きカバーは、外側リングの外径の周りに周方向に分布する位置で、外側リングにボルト締めされる。複数の半径方向のストラットは、整流板を貫通し、非半径方向のコネクタ（１１２、１１４）によって、内側リングおよびボス付きカバーに固定される。
2016510377.tif 000002
【特許請求の範囲】
【請求項１】
タービン排気ケースであって、
前記タービン排気ケースを通る空気流路を画定する整流板と、
前記整流板を貫通しかつその周辺に配設されて、軸受荷重を支持するマルチピース型フレームと、
を備え、前記マルチピース型フレームが、
内側リングと、
前記内側リングの外方に同心状に配設される外側リングと、
前記外側リングの外径の周りに周方向に分布する位置で、前記外側リングにボルト締めされる複数のボス付きカバーと、
前記整流板を貫通し、非半径方向のコネクタによって、前記内側リングおよび前記ボス付きカバーに固定された複数の半径方向のストラットと、
を備えた、タービン排気ケース。
【請求項２】
前記マルチピース型フレームが鋼で形成される、請求項１に記載のガスタービン排気ケース。
【請求項３】
前記マルチピース型フレームが砂型鋳造鋼で形成される、請求項２に記載のガスタービン排気ケース。
【請求項４】
前記整流板が一体に形成される、請求項１に記載のガスタービン排気ケース。
【請求項５】
前記整流板が、前記マルチピース型フレームよりも、高温用に格付けされた材料で形成される、請求項１に記載のガスタービン排気ケース。
【請求項６】
前記整流板が、ニッケル系超合金で形成される、請求項１に記載のガスタービン排気ケース。
【請求項７】
前記半径方向のストラットが、前記非半径方向のコネクタによって、前記内側リング上の半径方向フランジに据えつけられる、請求項１に記載のガスタービン排気ケース。
【請求項８】
各半径方向のストラットが、個々のボス付きカバーによって被覆された、前記外側リング中の個々の開口部を通過する、請求項１に記載のガスタービン排気ケース。
【請求項９】
前記非半径方向のコネクタが、周方向に配向された膨張性直径締結具である、請求項１に記載のガスタービン排気ケース。
【請求項１０】
タービン排気ケースフレームであって、
複数の半径方向外方に延在するフランジを有する内側円筒形リングと、
複数の角度的に分散されたストラット開口部を有する外側円錐台形リングと、
前記半径方向外方に延在するフランジに固定され、前記角度的に分散されたストラット開口部を通って延在する、複数の半径方向のストラットと、
前記角度的に分散されたストラット開口部それぞれの上に固定され、膨張性直径ストラット締結具によって、前記半径方向のストラットに固定される、複数のカバーと、
を備えた、タービン排気ケースフレーム。
【請求項１１】
前記半径方向のストラットのそれぞれが、膨張性直径の内径締結具によって、前記半径方向外方に延在するフランジのうちの２つに固定される、請求項１０に記載のタービン排気ケースフレーム。
【請求項１２】
前記膨張性直径ストラット締結具が、周方向に配向される、請求項１０に記載のタービン排気ケースフレーム。
【請求項１３】
各膨張性直径ストラット締結具が、前記ストラットのうちの１つおよび複数の前記カバーのうちの１つを通って、全体に延在する、請求項１０に記載のタービン排気ケースフレーム。
【請求項１４】
前記フレームが、鋼で形成される、請求項１０に記載のタービン排気ケース。
【請求項１５】
タービン排気ケースを組み立てる方法であって、
整流板を画定する流路の整流板ベーンと、内側フレームリングから半径方向外方に延在するフランジと、外側円錐台形リングのストラット開口部と、を揃えることと、
前記ストラット開口部および前記整流板ベーンを通して、半径方向のストラットを前記外側円錐台形リングの半径方向外方から挿入することと、
前記半径方向のストラットを前記フランジに固定することと、
前記ストラット開口部に架かるカバーを前記外側円錐台形リングおよび前記ストラットに固定することと、を備えた方法。
【請求項１６】
前記カバーを前記ストラットに固定することが、周方向に配向された膨張性直径締結具を、各ストラットおよびカバーを通して挿入することを含む、請求項１４に記載の方法。
【発明の詳細な説明】
【技術分野】
【０００１】
本開示は、一般に、ガスタービンエンジンに関し、より詳細には、ガスタービンエンジンのタービン排気ケース内の熱管理に関する。
【背景技術】
【０００２】
タービン排気ケースは、ガスタービンエンジンの後部またはその近傍にガス流路を提供する一方でエンジン軸受荷重を支持する、構造フレームである。一部の航空エンジンは、タービン排気ケースを利用して、ガスタービンエンジンの航空機機体への搭載に役立てている。産業上の適用では、タービン排気ケースは、ガスタービンエンジンを、発電機に動力を供給する動力タービンに結合するためにより広く用いられている。産業用タービン排気ケースは、例えば、低圧エンジンタービンと発電機動力タービンとの間に位置付けられ得る。タービン排気ケースは、内部軸受からの軸荷重を支えなければならず、また高温での持続的な運転が可能でなければならない。
【０００３】
タービン排気ケースは、空気流の方向付けと構造的支持との２つの主要な目的に役立つ。タービン排気ケースは、通常は、半径方向のストラットにより接続された内側リングと外側リングとを有する構造体を備える。ストラットおよびリングは、多くの場合、内側リングの軸方向内方に位置する軸受を同時に機械的に支持する一方、前部から後部への中心流路を画定している。タービン排気ケースの構成要素は、中心流路に沿って非常に高い温度に曝される。これらの高温に対処するために、種々の手法および構築法が用いられてきた。一部のタービン排気ケースフレームは、耐高温高応力材料を利用して、中心流路を画定し、かつ機械的荷重を支えている。他のタービン排気ケース構築法では、これら２つの機能を分離して、機械的荷重用の構造フレームを耐高温整流板で組み合わせて、中心流路を画定している。別個の構造フレームと流路整流板とを有するタービン排気ケースでは、ベーン整流板を構造フレーム内に設置することの技術的難題が生じる。整流板は、典型的には「瓶内の船」として構築され、ピースごとに単一フレーム内に造り上げられる。一部の整流板の実施形態は、例えば、各フレームストラットに対して整流板ベーンの吸気側および圧力側のピースを備える。これらのピースは、構造フレーム内に個々に挿入され、（例えば、溶接により）一体に接合されて、フレームストラットを包囲する。
【発明の概要】
【課題を解決するための手段】
【０００４】
本開示は、タービン排気ケースを通る空気流路を画定する整流板と、マルチピース型フレームとを備える、タービン排気ケースを対象とする。マルチピース型フレームは、整流板を貫通しかつその周辺に配設されて、軸受荷重を支持し、かつ内側リング、内側リングの外方に同心状に配設される外側リング、複数のボス付きカバー、および複数の半径方向のストラットを備える。複数のボス付きカバーは、外側リングの外径の周りに周方向に分布する位置で、外側リングにボルト締めされる。複数の半径方向のストラットは、整流板を貫通し、非半径方向のコネクタによって、内側リングおよびボス付きカバーに固定される。
【図面の簡単な説明】
【０００５】
【図１】ガスタービン発電機の概略図である。
【図２】図１のガスタービン発電機のタービン排気ケースの簡略断面図である。
【図３】図２で図示されたマルチピース型フレームの透視図である。
【発明を実施するための形態】
【０００６】
図１は、吸気口１２、圧縮機１４（低圧圧縮機１６および高圧圧縮機１８を含む）、燃焼機２０、エンジンタービン２２（高圧タービン２４および低圧タービン２６を含む）、タービン排気ケース２８、動力タービン３０、低圧軸３２、高圧軸３４、および動力軸３６を備える、ガスタービンエンジン１０の簡略部分断面図である。ガスタービンエンジン１０は、例えば、産業用の動力タービンであり得る。
【０００７】
低圧軸３２、高圧軸３４、および動力軸３６は、回転軸Ａに沿って位置付けられる。図示した実施形態では、低圧軸３２および高圧軸３４は同心状に配置されるが、動力軸３６は、低圧軸３２および高圧軸３４の軸方向後方に配設される。低圧軸３２は、低圧圧縮機１６および低圧タービン２６を含む低圧スプールを画定する。高圧軸３４は、高圧圧縮機１８および高圧タービン２４を含む高圧スプールを同様に画定する。ガスタービンの技術分野で周知のように、吸気口１２で受けた空気流Ｆは、次に、低圧圧縮機１６および高圧圧縮機１８により加圧される。燃料が燃焼機２０で注入され、結果として生じた燃料空気の混合気がここで点火される。膨張する燃焼ガスが、高圧タービン２４および低圧タービン２６を回転させ、それにより高圧軸３４および低圧軸３２を介して高圧圧縮機１８および低圧圧縮機１６をそれぞれ駆動する。圧縮機１４およびエンジンタービン２２は、別個の軸上の高区域および低区域を含む２つのスプールの構成要素として図示されているが、単一スプールまたは３つ以上のスプールの実施形態の圧縮機１４およびエンジンタービン２２も可能である。タービン排気ケース２８は空気流を低圧タービン２６から動力タービン３０へ移送し、ここでこの空気流は動力軸３６を駆動する。動力軸３６は、例えば、発電機、ポンプ、機械変速装置、または他の補機（図示せず）を駆動する。
【０００８】
低圧タービン２６から動力タービン３０への空気流路の画定に加えて、タービン排気ケース２８は、１つ以上の軸荷重を支持し得る。タービン排気ケース２８は、例えば、配設された軸受区画（図示せず）を介して低圧軸３２を支持して、荷重を低圧軸３２からタービン排気ケース２８の構造フレームに伝達することができる。
【０００９】
図２は、タービン排気ケース２８およびガスタービンエンジン１０の隣接する構成要素の簡略断面図である。図２は、低圧タービン２６（低圧タービンケーシング４２、低圧ベーン３６、低圧ロータブレード３８、および低圧ロータディスク４０を含む）および動力タービン３０（動力タービンケース５２、動力タービンベーン４６、動力タービンロータブレード４８、および動力タービンロータディスク５０を含む）、およびタービン排気ケース２８（フレーム１００、外側リング１０２、内側リング１０４、ストラット１０６、内側リングフランジ１０８、カバー１１０、膨張性直径締結具（expandable diameter fasteners）１１２、内径締結具１１４、および対応するナット１１８を有するカバー締結具１１６を含む）を示す。図３は、整流板１２０が除去された、外側リング１０２を有するフレーム１００、内側リング１０４、ストラット１０６、内側リングフランジ１０８、カバー１１０、膨張性直径締結具１１２、内径締結具１１４、およびカバー締結具１１６を示す、タービン排気ケース２８の透視図である。
【００１０】
図１に関して上述したように、低圧タービン２６は、低圧軸３２を介して低圧圧縮機１６に接続されたエンジンタービンである。低圧タービンロータブレード３８は、低圧タービンロータディスク４０に据えつけられた周方向に分布するエーロフォイルの軸方向に重なる集合体である。１つのみの低圧タービンロータディスク４０および単一の代表的低圧タービンロータブレード３８を示したが、低圧タービン２６は、低圧ロータベーン３６を介在させた任意の数のロータ段を含み得る。低圧ロータベーン３６は、流れＦを方向付けるエーロフォイル表面であり、低圧ロータブレード３８に空力荷重を与えることにより、低圧軸３２（図１を参照）を駆動する。低圧タービンケーシング４２は、低圧タービン構成要素から、例えば、タービン排気ケース２８に、半径方向および軸方向の荷重を移送する、低圧タービン２６の堅固な外表面である。
【００１１】
動力タービン３０は、低圧タービン２６に平行であるが、圧縮機１４に動力を与えるのではなく、空気流Ｆからエネルギーを抽出して、発電機、ポンプ、機械変速装置、または同様な機器を駆動する。低圧タービン２６と同様に、動力タービン３０は、エーロフォイルのベーンおよびブレードの交互段を介して空気流を方向付けることにより動作する。動力タービンベーン４６は、空気流Ｆを方向付けて、動力タービンロータディスク５０上の動力タービンロータブレード４８を回転させる。
【００１２】
タービン排気ケース２８は、低圧タービン２６を動力タービン３０に接続する中間構造体である。タービン排気ケース２８は、ボルト、ピン、リベット、またはねじによって、低圧タービン２６および動力タービン３０に、例えば、据えつけられる。一部の実施形態では、タービン排気ケース２８は、タービン排気ケース２８のみならず低圧タービン２６、動力タービン３０、および／またはガスタービンエンジン１０の他の構成要素も支持する設置用取付金具（例えば、トラス、支柱）の取付ポイントとして機能し得る。
【００１３】
タービン排気ケース２８は、例えば、低圧軸３２からの、軸荷重を含む構造荷重を支持するフレーム１００と、低圧タービン２６から動力タービン３０への空力流路を画定する整流板１２０との、２つの主要な構成要素を備える。整流板１２０は、単一の一体ピースで形成され得るが、フレーム１００は整流板１２０の周囲に組み立てられる。
【００１４】
整流板１２０の外側プラットフォーム１２２と内側プラットフォーム１２４とは、低圧タービン２６から動力タービン３０への環状ガス流路の内側および外側の境界を画定する。整流板ベーン１２６は、ストラット１０６を包囲する空力ベーン表面である。整流板１２０は、ストラット１０６の数に少なくとも等しい任意の数の整流板ベーン１２６を有し得る。一実施形態では、整流板１２０は、フレーム１００の各ストラット１０６に対して１つのベーン整流板１２６を有する。他の実施形態では、整流板１２０は、ストラット１０６が通過しない追加のベーン整流板１２６を含み得る。整流板１２０は、インコネルまたは別のニッケル系超合金等の、耐高温材料で形成され得る。
【００１５】
フレーム１００は、４つの別個の構造要素と、加えて接続用締結具とを備えるマルチピース型フレームである。フレーム１００の外径は、外側リング１０２と複数のカバー１１０との組み合わせにより形成される。外側リング１０２は、堅固で、ストラット１０６の位置に対応する角度位置でストラット開口部ＳAを含む、実質的に円錐台形の環帯である。カバー１１０は、ストラット開口部ＳAを封止するボス付きキャップであり、膨張性直径締結具１１２によって、ストラット１０６と整合する。膨張性直径締結具１１２は、例えば、カバー１１０とストラット１０６との両方を通って全体に延在することができ、対応する許容差を受け入れ、熱ドリフトを考慮して膨張することができる、膨張性直径ボルト、軸、またはピンであり得る。膨張性直径締結具１１２は、ストラット１０６およびカバー１１０を通って、周方向に延在し、カバー１１０のいずれかの角側に固定される（図３参照）。例えば、ねじ、ピン、リベット、またはボルト（対応するナット１１８を有する）であり得るカバー締結具１１６によって、カバー１１０は、フレーム１００の外側リング１０２に固定される。
【００１６】
フレーム１００の内径は、各ストラット１０６に持送り（ブラケット）を付ける内側リングフランジ１０８を有する実質的に円筒形構造体の、内側リング１０４により画定される。内径締結具１１４は、内側リングフランジ１０８およびストラット１０６を通って全体に延在する。内径締結具１１４は、ボルト、ピン、軸、ねじ、またはリベットを含む標準または膨張性直径締結具であり得る。ストラット１０６は、外側リング１０２のストラット開口部ＳAを通って、内側リング１０４から実質的に半径方向に延在する堅固な支柱であり、膨張性直径締結具１１２によってカバー１１０に据えつけられる。フレーム１００は、中心流Ｆには直接に曝されないので、整流板１２０よりも、実質的に低温用に格付けされる材料で形成され得る。一部の実施形態では、フレーム１００は、砂型鋳造鋼で形成され得る。
【００１７】
タービン排気ケース２８は、整流板１２０を内側リング１０４および外側リング１０２と軸方向および周方向に揃え、かつ半径方向外方から各ストラット１０６を、ストラット開口部ＳAおよび整流板ベーン１２６を介して挿入することにより、組み立てられる。ストラット１０６は、次いで、例えば、タービン排気ケース２８の後部からの手動組み立てによって、内側リングフランジ１０８を通る内径締結具１１４を介して内側リング１０４に固定され得る。カバー１１０は、次いで、各ストラット開口部ＳA上に取り付けられ、可変直径締結具１１２によって、ストラット１０６に固定されて、タービン排気ケース２８の組み立てが完了する。フレーム１００のマルチピース型構造により、タービン排気ケース２８を整流板１２０の周辺に組み立てることが可能になる。したがって、整流板１２０は、単一の一体ピース、例えば、溶接または他の接合位置に対応する弱い箇所の無い、単一のダイキャスト体であり得る。
【００１８】
（可能な実施形態の検討）
以下に、本発明の可能な実施形態の非排他的な説明を行う。
【００１９】
タービン排気ケースを通る空気流路を画定する整流板、およびマルチピース型フレームを備える、タービン排気ケース。マルチピース型フレームは、整流板を貫通しかつその周辺に配設されて、軸受荷重を支持し、かつ内側リング、内側リングの外方に同心状に配設される外側リング、複数のボス付きカバー、および複数の半径方向のストラットを備える。複数のボス付きカバーは、外側リングの外径の周りに周方向に分布する位置で、外側リングにボルト締めされる。複数の半径方向のストラットは、整流板を貫通し、非半径方向（non-radial）のコネクタによって、内側リングおよびボス付きカバーに固定される。
【００２０】
前項のタービン排気ケースは、追加的におよび／または代替的に、以下の特徴、構成、および／または追加の構成要素のうちのいずれか１つ以上を、任意選択的に含み得る。
【００２１】
マルチピース型フレームが鋼で形成される。
【００２２】
マルチピース型フレームが砂型鋳造鋼で形成される。
【００２３】
整流板が一体に形成される。
【００２４】
整流板が、マルチピース型フレームよりも、高温用に格付けされる材料で形成される。
【００２５】
整流板が、ニッケル系超合金で形成される。
【００２６】
半径方向のストラットが、非半径方向のコネクタを介して内側リング上の半径方向フランジに据えつけられる。
【００２７】
各半径方向のストラットが、個々のボス付きカバーによって被覆された、外側リングの個々の開口部を通過する。
【００２８】
非半径方向のコネクタが、周方向に配向された膨張性直径締結具である。
【００２９】
複数の半径方向外方に延在するフランジを有する内側円筒形リング、複数の角度的に分散されたストラット開口部を有する外側円錐台形リング、半径方向外方に延在するフランジに固定され、角度的に分散されたストラット開口部を通って延在する複数の半径方向のストラット、および角度的に分散されたストラット開口部それぞれの上に固定され、膨張性直径ストラット締結具によって、半径方向のストラットに固定された複数のカバーを備える、タービン排気ケースフレーム。
【００３０】
前項のタービン排気ケースフレームは、追加的におよび／または代替的に、以下の特徴、構成、および／または追加の構成要素のうちのいずれか１つ以上を、任意選択的に含み得る。
【００３１】
半径方向のストラットそれぞれが、膨張性直径の内径締結具によって、半径方向外方に延在するフランジのうちの２つに固定される。
【００３２】
膨張性直径ストラット締結具が、周方向に配向される。
【００３３】
各膨張性直径ストラット締結具が、ストラットのうちの１つおよび複数のカバーのうちの１つを通って、全体に延在する。
【００３４】
タービン排気ケースを組み立てる方法であって、該方法は、整流板を画定する流路の整流板ベーン、内側フレームリングから半径方向外方に延在するフランジ、および外側円錐台形リングのストラット開口部を揃えることと、半径方向のストラットを、ストラット開口部および整流板ベーンを通って、外側円錐台形リングの半径方向外方から挿入することと、半径方向のストラットをフランジに固定することと、ストラット開口部の上のカバーを、外側円錐台形リングおよびストラットに固定することとを含む。
【００３５】
前項の方法は、追加的におよび／または代替的に、以下の特徴、構成、および／または追加の構成要素のうちのいずれか１つ以上を、任意選択的に含み得る。
【００３６】
カバーをストラットに固定することが、周方向に配向された膨張性直径締結具を、各ストラットおよびカバーを通して挿入することを含む。
【００３７】
本発明を例示の実施形態（複数可）に関して説明したが、本発明の範囲から逸脱することなく種々の変更を行うことができ、また均等物をその要素に代えて置換できることを当業者ならば理解するであろう。本記載は、低圧タービン２６に当接するようにタービン排気ケース２８を記載するが、ガスタービンエンジン１０は、任意の数のエンジンスプールを備えてもよく、タービン排気ケース２８がこのうちの最後のエンジンスプールに当接する。加えて、本発明の必須の範囲から逸脱することなく、多くの修正を行って特定の状況または材料を本発明の教示に適合させてもよい。したがって、本発明は、開示される特定の実施形態（複数可）に限定されず、本発明は、添付の特許請求の範囲内に収まる全ての実施形態を含むことが意図されている。
【図１】
2016510377.tif 000003
【図２】
2016510377.tif 000004
【図３】
2016510377.tif 000005
【国際調査報告】
2016510377.tif 000006
2016510377.tif 000007